(57)【要約】【課題】第１の課題は、粘着テープ巻回体のコスト低減を図ることである。【解決手段】第１の課題に係る粘着テープ巻回体の製造方法は、巻回作業用芯材２０を準備する工程と、巻始め側の端部を除いて粘着性を呈する粘着シートを巻回作業用芯材２０に巻回する工程と、巻回された粘着シート１３Ｂから前記巻回作業用芯材２０を抜く工程とを備える。また、必要に応じて、粘着シート１３Ｂの巻回体が複数に分割されることで、粘着テープ巻回体１０が製造される。粘着シート巻回体１０は、一方主面側において一端部を除く領域で粘着性を呈する帯状の粘着テープが、前記一端部を巻始めとして、前記一方主面を内周に向けて巻回された構成とされる。【選択図】図４
2015098551.tif 000002
【特許請求の範囲】
【請求項１】
巻回作業用芯材を準備する工程と、
巻始め側の端部を除いて粘着性を呈する粘着シートを前記巻回作業用芯材に巻回する工程と、
巻回された前記粘着シートから前記巻回作業用芯材を抜く工程と、
を備える粘着テープ巻回体の製造方法。
【請求項２】
請求項１記載の粘着テープ巻回体の製造方法であって、
前記巻回作業用芯材は、巻回された前記粘着シートの内部からその軸心方向に沿って抜くことが可能な状態で、前記巻始め側の端部を支持可能なシート支持部を含む、粘着テープ巻回体の製造方法。
【請求項３】
一方主面側において一端部を除く領域で粘着性を呈する帯状の粘着テープが、前記一端部を巻始めとして、前記一方主面を内周に向けて巻回されている、粘着テープ巻回体。
【請求項４】
棒状芯材を準備する工程と、
前記棒状芯材を回転させて、前記棒状芯材に粘着シートを巻回する工程と、
前記棒状芯材の少なくとも一部を巻芯とする粘着テープ巻回体を得る工程と、
を備える粘着テープ巻回体の製造方法。
【請求項５】
円柱状の巻芯と、
前記巻芯に巻回された粘着テープと、
を備える粘着テープ巻回体。
【発明の詳細な説明】
【技術分野】
【０００１】
この発明は、ワイヤーハーネスの結束等に用いられる粘着テープの巻回体及びその製造方法に関する。
【背景技術】
【０００２】
従来、粘着テープは、紙で形成された環状の巻芯に巻回された形態で提供される。
【発明の概要】
【発明が解決しようとする課題】
【０００３】
しかしながら、巻芯がある分、粘着テープ巻回体のコストが高くなってしまう。
【０００４】
また、巻芯に粘着テープを巻回するためには、回転駆動される棒状部材に巻芯をセットし、巻芯に粘着テープを巻回した後、巻芯を棒状部材から外す必要がある。このため、粘着テープの巻回作業が複雑となる。
【０００５】
そこで、本発明の第１の課題は、粘着テープ巻回体のコスト低減を図ることにある。本発明の第２の課題は、粘着テープの巻回作業を容易に行えるようにすることである。
【課題を解決するための手段】
【０００６】
上記第１の課題を解決するため、第１の態様に係る粘着テープ巻回体の製造方法は、巻回作業用芯材を準備する工程と、巻始め側の端部を除いて粘着性を呈する粘着シートを前記巻回作業用芯材に巻回する工程と、巻回された前記粘着シートから前記巻回作業用芯材を抜く工程と、を備える。
【０００７】
第２の態様は、第１の態様に係る粘着テープ巻回体の製造方法であって、前記巻回作業用芯材は、巻回された前記粘着シートの内部からその軸心方向に沿って抜くことが可能な状態で、前記巻始め側の端部を支持可能なシート支持部を含む。
【０００８】
また、第１の課題を解決するため、第３の態様に係る粘着テープ巻回体は、一方主面側において一端部を除く領域で粘着性を呈する帯状の粘着テープが、前記一端部を巻始めとして、前記一方主面を内周に向けて巻回されている。
【０００９】
上記第２の課題を解決するため、第４の態様に係る粘着テープ巻回体の製造方法は、棒状芯材を準備する工程と、前記棒状芯材を回転させて、前記棒状芯材に粘着シートを巻回する工程と、前記棒状芯材の少なくとも一部を巻芯とする粘着テープ巻回体を得る工程と、を備える。
【００１０】
また、第２の課題を解決するため、第５の態様に係る粘着テープ巻回体は、円柱状の巻芯と、前記巻芯に巻回された粘着テープと、を備える。
【発明の効果】
【００１１】
第１の態様によると、巻芯の無い粘着テープ巻回体を製造することができ、粘着テープ巻回体のコスト低減が可能となり、第１の課題を解決できる。
【００１２】
第２の態様によると、粘着シートの巻始め側の端部を支持して粘着シートを巻回作業用芯材に容易に巻付けることができる。また、巻回作業後は、巻回作業用芯材を容易に抜くことができる。
【００１３】
第３の態様によると、巻芯が無い分、低コストな粘着テープ巻回体を製造でき、第１の課題を解決できる。
【００１４】
第４の態様によると、棒状芯材に粘着テープを巻付け、棒状芯材の少なくとも一部を巻芯とする粘着テープ巻回体を製造するため、粘着テープの巻回作業を容易に行え、第２の課題を解決できる。
【００１５】
第５の態様によると、円柱状の巻芯を回転させてこれに直接粘着テープを巻回することができるため、粘着テープの巻回作業を容易に行え、第２の課題を解決できる。
【図面の簡単な説明】
【００１６】
【図１】第１実施形態に係る粘着テープ巻回体を示す斜視図である。
【図２】粘着テープ巻回体の製造工程を示す説明図である。
【図３】巻回作業用芯材を示す概略断面図である。
【図４】巻回作業用芯材に粘着シートが巻回された状態を示す斜視図である。
【図５】巻回された粘着シートを切断する工程を示す説明図である。
【図６】巻回作業用芯材の変形例を示す部分斜視図である。
【図７】第２実施形態に係る粘着テープ巻回体を示す斜視図である。
【図８】粘着テープ巻回体の製造工程を示す説明図である。
【図９】巻回された粘着シートを切断する工程を示す説明図である。
【発明を実施するための形態】
【００１７】
｛第１実施形態｝
以下、第１実施形態に係る粘着テープ巻回体及びその製造方法について説明する。
【００１８】
図１は第１実施形態に係る粘着テープ巻回体１０を示す斜視図である。粘着テープ巻回体１０は、粘着テープ１２が複数回環状に巻回された構成とされている。粘着テープ１２は、帯状の基材１３を備える。
【００１９】
基材１３としては、ポリ塩化ビニル（ＰＶＣ）等の樹脂製、発泡樹脂製、紙製、織布（綿布等）又は不織布等の布製のものを用いることができる。
【００２０】
基材１３の一方主面は、その一端部を除く領域で粘着性を呈するように形成されている。ここでは、基材１３の一方主面のうちその一端部を除く領域に、粘着層１４が形成されている。基材１３の一方主面において粘着性を呈さない領域、即ち、粘着層１４が形成されない領域は、粘着テープ巻回体１０の形態において、その内周側に露出する領域かこれよりも大きい領域である。粘着層１４としては、アクリル系粘着剤、ゴム系粘着剤、シリコーン系粘着剤等の粘着剤によって形成される。
【００２１】
上記基材１３は、一端部を巻始として、その一方主面を内周に向けて巻回されている。従って、粘着テープ巻回体１０の形態では、最内周の部分を除く他の全ての層において、基材１３の内周側に粘着層１４が設けられ、粘着性を呈している。
【００２２】
かかる粘着テープ巻回体１０は、基材の種類、形状、用途等に応じて、一般的なＰＶＣテープ、難燃ＰＶＣテープ、架橋耐熱テープ、非架橋耐熱テープ、スリット付のテープ、紙テープ、織布テープ（ポリエチレンテレフタレート（ＰＥＴ）、アセテート製等が挙げられる）、布テープ、不織布テープ、綿テープ、クッションテープ、シリコンテープ等として用いられる。
【００２３】
上記粘着テープ巻回体１０によれば、巻芯を省略した分、従来の一般的な紙巻芯の粘着テープ巻回体と比べて、例えば、直径１０ｍｍ程度の厚さ分、粘着テープ１２の巻き量を増やすことができる。また、粘着テープ１２を効率よく、輸送、保管することも可能となる。
【００２４】
粘着テープ巻回体１０の内周の直径は、２ｍｍ〜１０ｍｍとすることが好ましい。
【００２５】
上記粘着テープ巻回体１０の製造方法例について説明する。ここでは、幅広な粘着シートから複数の粘着テープ巻回体１０を製造する例で説明する。
【００２６】
まず、図２及び図３に示すように、巻回作業用芯材２０を準備する。巻回作業用芯材２０は、円筒の外周面を有する棒状部材に形成されている。ここでは、巻回作業用芯材２０は、樹脂又は金属等によって形成された部材であり、円筒状に形成されている。巻回作業用芯材２０の長さ寸法は、粘着テープ巻回体１０の幅の複数倍以上に設定されており、粘着テープ巻回体１０を複数個製造可能な寸法に設定されている。
【００２７】
また、巻回作業用芯材２０は、巻回された粘着シート１３Ｂの内部からその軸心方向に沿って抜くことが可能な状態で、粘着シート１３Ｂの巻始め側の端部を支持可能なシート支持部２１を備える。
【００２８】
より具体的には、巻回作業用芯材２０には、その軸心方向に沿って延在するスリット２０Ｓが形成されている。また、巻回作業用芯材２０の周方向においてスリット２０Ｓを挟む両側部から巻回作業用芯材２０の内部に向けて一対の挟込み片２２が延出している。一対の挟込み片２２は、巻回作業用芯材２０の中心からずれるように傾斜する方向に向けて延在している。また、一対の挟込み片２２間には、粘着シート１３Ｂの巻始め側の端部を挟み込み可能な隙間２３が形成されている。隙間２３の間隔は、粘着シート１３Ｂの巻始めの端部を挿入することができる範囲でなるべく小さく設定されていることが好ましい。なお、スリット２０Ｓ及び隙間２３は、巻回作業用芯材２０の少なくとも一方側の端部で開口している。この一対の挟込み片２２がシート支持部２１である。
【００２９】
そして、粘着シート１３Ｂの巻始め側の端部を一対の挟込み片２２に挟込み、粘着シート１３Ｂのうち一対の挟込み片２２から延出する部分を、一対の挟込み片２２で挟まれた部分に対して鋭角をなす側に、巻回作業用芯材２０を巻付けるように、当該巻回作業用芯材２０を回転させる。すると、粘着シート１３Ｂの巻始め側の端部が、巻回作業用芯材２０と共に回転し、当該粘着シート１３Ｂが巻回作業用芯材２０に対して巻付けられる。この際、作業者が、補助的な作業として、粘着シート１３Ｂを巻回作業用芯材２０に対して押え付ける等してもよい。
【００３０】
上記巻回作業用芯材２０は、一端部がモータ等を含む回転駆動部２６に着脱可能に連結されると共に他端部が軸受部２８によって回転可能に支持される。
【００３１】
また、上記とは別に、粘着シート１３Ｂを巻回収容した巻回体３０を準備しておく。巻回体３０は、巻芯３１に粘着シート１３Ｂが大量に巻付けられており、当該巻回体３０から引出された粘着シート１３によって、巻回作業用芯材２０に対して複数個分の巻回作業を行えるようになっている。
【００３２】
この巻回体３０の巻芯３１の両端部は、軸受部３２によって回転可能に支持されている。
【００３３】
そして、この巻回体３０から引出された粘着シート１３Ｂの巻始め側の端部を、巻回作業用芯材２０の一対の挟込み片２２間の隙間２３に挟込む。ここで、粘着シート１３Ｂの巻始め側の端部には、粘着層１４が形成されていない。ここでは、上記隙間２３に配設される長さ寸法分に、巻回作業用芯材２０の外周長さ寸法Ｒを付加した程度の領域部分に、粘着層１４が形成されていない（図３参照）。
【００３４】
そして、回転駆動部２６によって巻回作業用芯材２０を回転させる。すると、粘着シート１３Ｂのうち巻始め側の端部において粘着層１４が形成されていない部分が、巻回作業用芯材２０に巻付けられ、続いて、粘着シート１３Ｂのうち粘着層１４が形成された部分が、巻回作業用芯材２０周りに複数回巻回される。
【００３５】
そして、巻回作業用芯材２０を、回転駆動部２６及び軸受部２８から取外すと、図４に示すように、巻回作業用芯材２０周りに粘着シート１３Ｂが複数巻回されたものが得られる。このように巻回された粘着シート１３Ｂから巻回作業用芯材２０を抜く。この際、粘着シート１３Ｂの巻始め側の端部であって一対の挟込み片２２によって挟込まれた部分は、その一対の挟込み片２２の延在方向に沿って当該一対の挟込み２２から抜くことができる。また、粘着シート１３Ｂのうち巻回作業用芯材２０に接している部分には、粘着層１４が形成されていないため、当該巻回作業用芯材２０上を滑って移動することができる。このため、比較的容易に、巻回された粘着シート１３Ｂから巻回作業用芯材２０を抜くことができる。
【００３６】
巻回作業用芯材２０を抜くと、図５に示すように、粘着シート１３Ｂが複数回巻回され、かつ、その内周部に、粘着シート１３Ｂの一方主面であって前記粘着層１４が形成されていない部分が露出したものが得られる。このように巻回された粘着シート１３Ｂは、その軸方向において、粘着テープ巻回体１０の複数個分の長さ寸法を有している。そこで、切断刃４０等を用いて、巻回された粘着シート１３Ｂが、その軸方向に対して直交する方向に沿って切断される。すると、上記粘着テープ巻回体１０を得ることができる。
【００３７】
なお、巻回対象となる粘着シートが、粘着テープ巻回体１０の幅と同幅である場合、上記切断作業は省略される。
【００３８】
なお、次に、粘着シート１３Ｂを巻回作業用芯材２０に巻回作業する際に、粘着シート１３Ｂの巻き始めとなる部分に対しては、予め粘着層１４が形成されていない部分として、粘着層１４の形成作業を行っておくことが好ましい。
【００３９】
以上のように構成された粘着テープ巻回体１０及びその製造方法によると、巻芯の無い粘着テープ巻回体１０を製造することができ、巻芯の無い分、粘着テープ巻回体１０の製造コスト低減を図ることができる。
【００４０】
また、巻芯が無い分、粘着テープ１３を大量に巻回することができ、本粘着テープ巻回体１０を用いてワイヤーハーネスの結束作業を行う場合等において、１つの粘着テープ巻回体１０によって数多くの結束作業を行うことが可能となり、その作業性が向上する。
【００４１】
また、巻回作業用芯材２０が上記一対の挟込み片２２を含むシート支持部２１を含むため、粘着シート１３Ｂの巻始め側の端部を支持して粘着シート１３Ｂを巻回作業用芯材２０に容易に巻付けることができる。また、巻回作業後は、巻回作業用芯材２０を容易に抜くことができる。
【００４２】
図６は、変形例に係る巻回作業用芯材２０Ｂを示す部分斜視図である。この巻回作業用芯材２０Ｂは、樹脂、金属等で形成された丸棒状部材であり、一対の半割棒状部材２１Ｂを備える。一対の半割棒状部材２１Ｂは、互いの平面を突合わせた状態で合体することで、丸棒状に形成される。また、一対の半割棒状部材２１Ｂの合体状態は、その少なくとも一端部に、環状部材２３Ｂを外嵌めすることによって維持される。環状部材２３Ｂとしては、樹脂製又はゴム製のものを用いることができる。一対の半割棒状部材２１Ｂの合体状態は、その他、ネジによる締付け力、磁石、電磁石等による磁力を用いて維持されてよい。
【００４３】
そして、一対の半割棒状部材２１Ｂ間に粘着シート１３Ｂの巻始め側の端部を挟み込んだ状態で、上記環状部材２３Ｂを外嵌めすれば、本巻回作業用芯材２０Ｂに粘着シート１３Ｂの巻始め側の端部が支持される。このような巻回作業用芯材２０Ｂでは、一対の半割棒状部材２１Ｂ及びこれらを合体状態に維持する環状部材２３Ｂが、シート支持部として機能する。
【００４４】
この巻回作業用芯材２０Ｂでは、粘着シートを巻付けた後、環状部材２３Ｂを取外せば、一対の半割棒状部材２１Ｂ間での粘着シート１３Ｂの巻始め側の端部の支持状態が解除される。このため、巻回された粘着シート１３Ｂから巻回作業用芯材２０Ｂを抜くことができる。特に、一対の半割棒状部材２１Ｂを１本ずつ抜くことで、巻回作業用芯材２０Ｂを容易に抜くことができる。
【００４５】
｛第２実施形態｝
第２実施形態に係る粘着テープ巻回体及びその製造方法について説明する。
【００４６】
図７は第２実施形態に係る粘着テープ巻回体１１０を示す斜視図である。粘着テープ巻回体１１０は、巻芯１１１と、巻芯１１１に巻回された粘着テープ１１２と備える。
【００４７】
巻芯１１１は、樹脂等によって形成された円柱状に形成されている。巻芯１１１は内部まで樹脂等で埋っており、その内部には空間が形成されていない。
【００４８】
粘着テープ１１２は、帯状に形成されており、上記巻芯１１１に複数回環状に巻回されている。
【００４９】
粘着テープ１１２は、帯状の基材１１３の一方主面に、粘着層１１４が形成された構成とされている。
【００５０】
基材１１３自体は、上記基材１３と同様構成であり、また、粘着層１１４自体も上記粘着層１４と同様構成である。本実施形態では、粘着テープ１１２の一方主面の全体に、粘着層１１４が形成されている。
【００５１】
粘着テープ巻回体１１０の内周の直径は、２ｍｍ〜１０ｍｍとすることが好ましい。このような寸法設定であれば、従来の一般的な紙巻芯の粘着テープ巻回体と比べて、例えば、直径１０ｍｍ程度の厚さ分、粘着テープ１１２の巻き量を増やすことができる。また、粘着テープ１１２を効率よく、輸送、保管することも可能となる。
【００５２】
上記粘着テープ巻回体１１０の製造方法例について説明する。ここでは、幅広な粘着シートから複数の粘着テープ巻回体１１０を製造する例で説明する。
【００５３】
まず、図８に示すように、棒状芯材１２０を準備する。棒状芯材１２０は、樹脂等で形成された丸棒状に形成されており、その内部も樹脂等で埋っている。従って、棒状芯材１２０は、後述する回転駆動に耐える強度を有している。棒状芯材１２０の長さ寸法は、粘着テープ巻回体１１０の幅の複数倍以上に設定されており、粘着テープ巻回体１１０を複数個製造可能な寸法に設定されている。
【００５４】
この棒状芯材１２０は、一端部がモータ等を含む回転駆動部１２６に着脱可能に連結されると共に他端部が軸受部１２８によって回転可能に支持される。
【００５５】
また、上記とは別に、粘着シート１１３Ｂを巻回収容した巻回体１３０を準備しておく。この巻回体１３０の巻芯１３１の両端部は、軸受部１３２によって回転可能に支持されている。この粘着シート１１３Ｂの一方主面全体には、粘着層が形成されている。
【００５６】
そして、粘着シート１１３Ｂの巻始め側の端部を上記棒状芯材１２０に粘着させる。この後、回転駆動部１２６によって棒状芯材１２０を回転させる。すると、粘着シート１１３Ｂが棒状芯材１２０周りに複数回巻回される。この際、棒状芯材１２０は、内部が埋る部材であり、比較的強度に優れる。このため、湾曲したり、折れたりすること無く、円滑に、棒状芯材１２０に対して粘着シート１１３Ｂを巻付けることができる。
【００５７】
そして、棒状芯材１２０を、回転駆動部１２６及び軸受部１２８から取外すと、図９に示すように、棒状芯材１２０周りに粘着シート１１３Ｂが複数巻回されたものが得られる。この後、切断刃１４０等を用いて、巻回された粘着シート１１３Ｂが、その軸方向に対して直交する方向に沿って切断される。すると、棒状芯材１２０の少なくとも一部（ここでは一部）を巻芯１１１とする粘着テープ巻回体１１０を得ることができる。なお、棒状芯材１２０の端部の突出した部分も、切断刃１４０等によって切断される。
【００５８】
なお、巻回対象となる粘着シートが、粘着テープ巻回体１１０の幅と同幅である場合、上記切断作業は省略される。
【００５９】
以上のように構成された粘着テープ巻回体１１０及びその製造方法によると、棒状芯材１２０に粘着シート１１３Ｂを巻付、棒状芯材１２０の少なくとも一部を巻芯１１１とする粘着テープ巻回体１１０を製造するため、粘着シート１３Ｂの巻回作業を容易に行える。
【００６０】
すなわち、芯材に粘着シートを巻く方法としては、紙等で形成された筒状芯材に回転駆動用の棒を通し、この棒を回転させることによって、筒状芯材を回転させて、粘着シートの巻回作業を行い、この後、筒状芯材から回転駆動用の棒を抜くこと等が考えられる。この場合、筒状芯材に回転駆動用の棒を抜差しする作業が必要となり、その製造作業が繁雑となる。そこで、上記のように、回転駆動用の棒自体を、粘着テープ巻回体１１０の巻芯１１１とすることで、粘着シート１１３Ｂの巻回作業を容易に行え、結果として、粘着テープ巻回体１１０を容易に製造できることになる。
【００６１】
また、巻芯１１１が樹脂等で形成されていると、粘着テープ１１２を巻芯１１１から剥離した後も、当該剥離箇所は続けて粘着性を呈する。このため、粘着テープ１１２の巻始め部分をも有効に利用することができる。
【００６２】
｛変形例｝
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６３】
１０、１１０  粘着テープ巻回体
１１１  巻芯
１２、１１２  粘着テープ
１３、１１３  基材
１３Ｂ、１１３Ｂ  粘着シート
１４、１１４  粘着層
２０、２０Ｂ  巻回作業用芯材
１２０  棒状芯材
３１、１３１  巻芯
２１  シート支持部
【図１】
2015098551.tif 000003
【図２】
2015098551.tif 000004
【図３】
2015098551.tif 000005
【図４】
2015098551.tif 000006
【図５】
2015098551.tif 000007
【図６】
2015098551.tif 000008
【図７】
2015098551.tif 000009
【図８】
2015098551.tif 000010
【図９】
2015098551.tif 000011